(57)【要約】【課題】  保護すべきコンテンツに電子透かしが施されていなくても保護することが可能な記録装置及び記録方法を提供する。【解決手段】  保護すべきコンテンツとしての画像（もしくは音声）を記録しようとする際に、電子透かしデータが埋め込まれた音声（もしくは画像）が取り込まれて電子透かしデータより画像データ（もしくは音声データ）の記録可否が判断され、記録可の場合には画像データ（もしくは音声データ）が記録されるが、記録不可の場合には画像データ（もしくは音声データ）が記録されないので、保護すべきコンテンツとしての画像（もしくは音声）に電子透かしが施されていなくても保護することが可能となる。【選択図】  図１
2006262360.tif 000002
【特許請求の範囲】
【請求項１】
保護すべきコンテンツとしての画像が電気信号に変換された画像データの記録を行う画像記録手段と、
電子透かしデータが埋め込まれた音声が電気信号に変換された音声データから前記電子透かしデータを検出する検出手段と、
前記電子透かしデータより前記画像データの記録可否を判断し、その記録可否の状態に適合するように前記画像記録手段を制御する制御手段と、
を備えたことを特徴とする記録装置。
【請求項２】
保護すべきコンテンツとしての画像を電気信号に変換する画像入力手段と、
前記画像入力手段から出力される画像データの記録を行う画像記録手段と、
電子透かしデータが埋め込まれた音声を電気信号に変換する音声入力手段と、
前記音声入力手段から出力される音声データから前記電子透かしデータを検出する検出手段と、
前記電子透かしデータより前記画像データの記録可否を判断し、その記録可否の状態に適合するように前記画像記録手段を制御する制御手段と、
を備えたことを特徴とする記録装置。
【請求項３】
保護すべきコンテンツとしての音声が電気信号に変換された音声データの記録を行う音声記録手段と、
電子透かしデータが埋め込まれた画像が電気信号に変換された画像データから前記電子透かしデータを検出する検出手段と、
前記電子透かしデータより前記音声データの記録可否を判断し、その記録可否の状態に適合するように前記音声記録手段を制御する制御手段と、
を備えたことを特徴とする記録装置。
【請求項４】
保護すべきコンテンツとしての音声を電気信号に変換する音声入力手段と、
前記音声入力手段から出力される音声データの記録を行う音声記録手段と、
電子透かしデータが埋め込まれた画像を電気信号に変換する画像入力手段と、
前記画像入力手段から出力される画像データから前記電子透かしデータを検出する検出手段と、
前記電子透かしデータより前記音声データの記録可否を判断し、その記録可否の状態に適合するように前記音声記録手段を制御する制御手段と、
を備えたことを特徴とする記録装置。
【請求項５】
電子透かしデータが埋め込まれた音声データを入力し、
前記音声データより前記電子透かしデータを検出し、
前記電子透かしデータより保護すべきコンテンツとしての画像データの記録可否を判断し、
前記記録可否の状態に適合するように前記画像データの記録を制御することを特徴とする記録方法。
【請求項６】
電子透かしデータが埋め込まれた画像データを入力し、
前記画像データより前記電子透かしデータを検出し、
前記電子透かしデータより保護すべきコンテンツとしての音声データの記録可否を判断し、
前記記録可否の状態に適合するように前記音声データの記録を制御することを特徴とする記録方法。
【発明の詳細な説明】
【技術分野】
【０００１】
本発明は、画像データ、音声データを記録する記録装置及び記録方法に関する。
【背景技術】
【０００２】
携帯電話機の普及に伴い、種々の機能を有する携帯電話機が登場している。特に現在、多数の携帯電話にカメラ機能が組み込まれ、静止画や動画をいつでもどこでも手軽に撮影することが可能となっている。
しかし、携帯電話機の高機能化に伴い種々の問題等が生じている。例えば、書店やコンビニエンスストアなどで携帯電話機の内蔵カメラによる書籍や雑誌の撮影を行う電子万引きや、街中で発見した芸能人や有名人を無断で撮影する等のプライバシーの侵害行為が増加している。
【０００３】
従来は携帯電話のカメラ機能を使用するときは、携帯電話機からシャッター音を出すことにより周囲に知らせる等の対策を講じているが、シャッター音による対策はスピーカ部の配線を遮断する等の簡単な加工により、容易に破られてしまうという問題がある。
また、コンサート会場などでは出演者の撮影や音声の録音が原則禁止されているが、ビデオカメラや携帯電話機等による無断録音や無断撮影が後を絶たない。これら無断録音や無断撮影などに関しては、観客の入場時に荷物チェックを行ってビデオカメラやカメラ付携帯電話機等を一時保管する等による対策しかないのが現状である。
これに対して、画像データや音声データに電子透かし（ＷＭ：Water Markともいう）を施すことにより不正コピーを防止することが試みられている。
【０００４】
ここで、電子透かしデータを刷り込む方法及び透かしデータの検出する方法について説明する。
デジタル画像の不正な複製を防止するために、デジタル画像データを暗号化し、正当な暗号解読キーを持つ再生システムのみが、暗号化されたデジタル画像データを再生できるシステムが考えられている。
しかし、ひとたび暗号が解読されてしまうと、以降の複製を防止することはできない。そこで、記録媒体に固有の識別コードを記録しておき、複製の是非を行う方式（例えば、特許文献１参照）や有料テレビジョン放送用のデコーダに各デコーダ毎に異なる識別コードを記録しておき、契約された識別コードをもつデコーダのみ正しくデコード可能な方式（例えば、特許文献２参照）等が考えられている。また、デジタル画像の不正な使用、及び複製を防止するために、デジタル画像そのものに特殊な情報、つまり電子透かしデータを埋め込む方法も考えられている。
【０００５】
このような、デジタル画像に対する電子透かしデータとしては、可視可能な電子透かしデータ、及び可視不可能な電子透かしデータの２種類が考えられている。可視可能な電子透かしデータは、画像に対して特殊な文字、或いは記号等を合成して視覚的に感知できるようにしたものであり、画質の劣化を招くが、デジタル画像の使用者に対して、不正な流用の防止を視覚的に訴える効果がある。
可視可能な電子透かしデータの埋め込みの一例が、特許文献３に示されている。この方法においては、元になる画像に対して可視な電子透かしデータを合成する際、電子透かしデータの不透明な部分に対応する画素の輝度のみを変化させ、色成分は変化させないようにして電子透かしデータを原画像に合成している。この際、画素の輝度成分の変化させるスケーリング値は、色成分、乱数、電子透かしデータの画素の値等によって決定されている。また、可視不可能な電子透かしデータは、画質を劣化させないように配慮して、電子透かしデータを画像に埋め込んだものであり、画質の劣化がほとんど無いため視覚的には感知できないことが特徴である。
しかし、この電子透かしデータとして著作者の識別が可能な特殊な情報を埋め込んでおけば、不正な複製が行われた後でも、この電子透かしデータを検出することにより著作者を特定することが可能である。
また、複製不可情報を埋め込んでおけば、例えば再生装置がその複製不可情報を検出した際に、使用者に複製禁止データであることを通知したり、再生装置内の複製防止機構を動作させて、ＶＴＲ（ビデオテープレコーダ）等への複製を制限することが可能である。可視不可能な電子透かしデータの、デジタル画像への埋め込み方法の一つとしては、画素データのＬＳＢ（least significant bit）等の画質への影響の少ない部分に電子透かしデータとして特殊な情報を埋め込む方法がある。すなわち、この方法は、画像信号の時間波形中に電子透かしデータを挿入する方法であるといえる。
しかし、この方法に対しては、画像から電子透かしデータを取り除くことは容易であった。例えば、低域通過フィルタを用いれば画素のＬＳＢの情報は失われることになる。また、画像圧縮処理は、このような画質に影響の少ない部分の情報量を落とすことによりデータ量の削減を図っているので、画像処理により電子透かしデータが失われることになる。従って、電子透かしデータの再検出が困難となるという問題があった。
一方、コンテンツから電子透かしをデコードして、コピー許可／否を識別し、それに応じてコンテンツ記録を有効／無効とする符号化回路及び信号処理装置が提案されている（例えば、特許文献４参照。）。
【０００６】
そこで、画像を周波数変換し、周波数スペクトラムに電子透かしデータを埋め込む方法が提案されている。この方法においては、周波数成分に電子透かしデータを埋め込むので、圧縮処理やフィルタリング等の画像処理に対しても電子透かしデータが失われることはない。さらに、電子透かしデータとして正規分布に従う乱数を採用することで、電子透かしデータ同士の干渉を防ぎ、画像全体に大きな影響を及ぼすことなく電子透かしデータを破壊することを困難にしている。
【特許文献１】特開平８−６９４１９号公報
【特許文献２】特開平５−２６０４６８号公報
【特許文献３】特開平８−２４１４０３号公報
【特許文献４】特開２０００−２２８６３２号公報
【発明の開示】
【発明が解決しようとする課題】
【０００７】
しかしながら、上述した従来技術では、予め保護すべき画像データや音声データ等のコンテンツに電子透かしデータを施す必要があり、電子透かしデータの刷り込み等の処理が行われていない場合には無断撮影や無断録音が行われてしまう。
そこで、本発明の目的は、保護すべきコンテンツに電子透かしが施されていなくても保護することが可能な記録装置及び記録方法を提供することにある。
【課題を解決するための手段】
【０００８】
上記課題を解決するため、請求項１記載の発明は、保護すべきコンテンツとしての画像が電気信号に変換された画像データの記録を行う画像記録手段と、電子透かしデータが埋め込まれた音声が電気信号に変換された音声データから前記電子透かしデータを検出する検出手段と、前記電子透かしデータより前記画像データの記録可否を判断し、その記録可否の状態に適合するように前記画像記録手段を制御する制御手段と、を備えたことを特徴とする。
【０００９】
請求項１記載の発明によれば、保護すべきコンテンツとしての画像を記録しようとする際に、電子透かしデータが埋め込まれた音声が取り込まれて電子透かしデータより画像データの記録可否が判断され、記録可の場合には画像データが記録されるが、記録不可の場合には画像データが記録されないので、保護すべきコンテンツとしての画像に電子透かしが施されていなくても保護することが可能となる。
【００１０】
請求項２記載の発明は、保護すべきコンテンツとしての画像を電気信号に変換する画像入力手段と、前記画像入力手段から出力される画像データの記録を行う画像記録手段と、電子透かしデータが埋め込まれた音声を電気信号に変換する音声入力手段と、前記音声入力手段から出力される音声データから前記電子透かしデータを検出する検出手段と、前記電子透かしデータより前記画像データの記録可否を判断し、その記録可否の状態に適合するように前記画像記録手段を制御する制御手段と、を備えたことを特徴とする。
【００１１】
請求項２記載の発明によれば、保護すべきコンテンツとしての画像が画像入力手段で入力され、電子透かしデータが埋め込まれた音声が音声入力手段で入力され、電子透かしデータより画像データの記録可否が判断され、記録可の場合には画像データが記録さるが、記録不可の場合には画像データが記録されないので、保護すべきコンテンツとしての画像に電子透かしが施されていなくても保護することが可能となる。
【００１２】
請求項３記載の発明は、保護すべきコンテンツとしての音声が電気信号に変換された音声データの記録を行う音声記録手段と、電子透かしデータが埋め込まれた画像が電気信号に変換された画像データから前記電子透かしデータを検出する検出手段と、前記電子透かしデータより前記音声データの記録可否を判断し、その記録可否の状態に適合するように前記音声記録手段を制御する制御手段と、を備えたことを特徴とする。
【００１３】
請求項３記載の発明によれば、保護すべきコンテンツとしての音声を記録しようとする際に、電子透かしデータが埋め込まれた画像が取り込まれ、電子透かしデータより音声データの記録可否が判断され、記録可の場合には音声データが記録されれが、記録不可の場合には音声データが記録されないので、保護すべきコンテンツとしての音声に電子透かしが施されていなくても保護することが可能となる。
【００１４】
請求項４記載の発明は、保護すべきコンテンツとしての音声を電気信号に変換する音声入力手段と、前記音声入力手段から出力される音声データの記録を行う音声記録手段と、電子透かしデータが埋め込まれた画像を電気信号に変換する画像入力手段と、前記画像入力手段から出力される画像データから前記電子透かしデータを検出する検出手段と、前記電子透かしデータより前記音声データの記録可否を判断し、その記録可否の状態に適合するように前記音声記録手段を制御する制御手段と、を備えたことを特徴とする。
【００１５】
請求項４記載の発明によれば、保護すべきコンテンツとしての音声が音声入力手段で入力され、電子透かしデータが埋め込まれた画像が画像入力手段で入力され、電子透かしデータより音声データの記録可否が判断され、記録可の場合には音声データが記録されるが、記録不可の場合には音声データが記録されないので、保護すべきコンテンツとしての音声に電子透かしが施されていなくても保護することが可能となる。
【００１６】
請求項５記載の発明は、電子透かしデータが埋め込まれた音声データを入力し、前記音声データより前記電子透かしデータを検出し、前記電子透かしデータより保護すべきコンテンツとしての画像データの記録可否を判断し、前記記録可否の状態に適合するように前記画像データの記録を制御することを特徴とする。
【００１７】
請求項５記載の発明によれば、保護すべきコンテンツとしての画像を記録しようとする際に、電子透かしデータが埋め込まれた音声が取り込まれて電子透かしデータより画像データの記録可否を判断され、記録可の場合には画像データが記録されるが、記録不可の場合には画像データが記録されないので、保護すべきコンテンツとしての画像に電子透かしが施されていなくても保護することが可能となる。
【００１８】
請求項６記載の発明は、電子透かしデータが埋め込まれた画像データを入力し、前記画像データより前記電子透かしデータを検出し、前記電子透かしデータより保護すべきコンテンツとしての音声データの記録可否を判断し、前記記録可否の状態に適合するように前記音声データの記録を制御することを特徴とする。
【００１９】
請求項６記載の発明によれば、保護すべきコンテンツとしての音声を記録しようとする際に、電子透かしデータが埋め込まれた画像が取り込まれ、電子透かしデータより音声データの記録可否が判断され、記録可の場合には音声データが記録されれが、記録不可の場合には音声データが記録されないので、保護すべきコンテンツとしての音声に電子透かしが施されていなくても保護することが可能となる。
【００２０】
〔特徴〕
デジタルカメラ等のような画像を記録する装置に関し、画像又は音声に埋め込まれた電子透かし（以下「ＷＭ」という）データの検出機能を持ち、そのＷＭデータ検出機能により、画像又は音声に埋め込まれているＷＭデータを検出して、そのＷＭデータの内容によりカメラや録音機能に関して有効／無効とすることを判断することを特徴とする記録装置及び記録方法である。
【発明の効果】
【００２１】
本発明によれば、保護すべきコンテンツとしての画像（もしくは音声）を記録しようとする際に、電子透かしデータが埋め込まれた音声（もしくは画像）が取り込まれて電子透かしデータより画像データ（もしくは音声データ）の記録可否が判断され、記録可の場合には画像データ（もしくは音声データ）が記録されるが、記録不可の場合には画像データ（もしくは音声データ）が記録されないので、保護すべきコンテンツとしての画像（もしくは音声）に電子透かしが施されていなくても保護することが可能となる。
【発明を実施するための最良の形態】
【００２２】
本発明に係る記録装置の一実施形態は、保護すべきコンテンツとしての画像が電気信号に変換された画像データの記録を行う画像記録手段と、電子透かしデータが埋め込まれた音声が電気信号に変換された音声データから電子透かしデータを検出する検出手段と、電子透かしデータより画像データの記録可否を判断し、その記録可否の状態に適合するように画像記録手段を制御する制御手段と、を備えたことを特徴とする。
【００２３】
ここで、画像記録手段としては、ＲＡＭ（読み出し書き込み可能なメモリ）やＥＥＰＲＯＭ（電気的書き換え可能メモリ、不揮発性メモリ）等の半導体メモリが挙げられる。制御手段としては、マイクロコンピュータが挙げられる。また、電子透かしデータの抽出については、例えば、特開平１０−２９０３１２号公報の段落「００３４」記載の方法が挙げられる。
本発明に係る記録装置の他の実施形態は、保護すべきコンテンツとしての画像を電気信号に変換する画像入力手段と、画像入力手段から出力される画像データの記録を行う画像記録手段と、電子透かしデータが埋め込まれた音声を電気信号に変換する音声入力手段と、音声入力手段から出力される音声データから電子透かしデータを検出する検出手段と、電子透かしデータより画像データの記録可否を判断し、その記録可否の状態に適合するように画像記録手段を制御する制御手段と、を備えたことを特徴とする。
ここで、画像入力手段としては例えばＣＣＤ（電荷結合素子）が挙げられ、音声入力手段としてはマイクロフォンが挙げられる。画像表示部としては、例えば、ＬＣＤ（液晶表示素子）が挙げられる。音声再生部としては、例えば、スピーカが挙げられる。
【００２４】
本発明に係る記録装置の他の実施形態は、保護すべきコンテンツとしての音声が電気信号に変換された音声データの記録を行う音声記録手段と、電子透かしデータが埋め込まれた画像が電気信号に変換された画像データから電子透かしデータを検出する検出手段と、電子透かしデータより音声データの記録可否を判断し、その記録可否の状態に適合するように前記音声記録手段を制御する制御手段と、を備えたことを特徴とする。
【００２５】
本発明に係る記録装置の他の実施形態は、保護すべきコンテンツとしての音声を電気信号に変換する音声入力手段と、音声入力手段から出力される音声データの記録を行う音声記録手段と、電子透かしデータが埋め込まれた画像を電気信号に変換する画像入力手段と、画像入力手段から出力される画像データから電子透かしデータを検出する検出手段と、電子透かしデータより音声データの記録可否を判断し、その記録可否の状態に適合するように音声記録手段を制御する制御手段と、を備えたことを特徴とする。
【００２６】
本発明に係る記録方法の一実施形態は、電子透かしデータが埋め込まれた音声データを入力し、音声データより電子透かしデータを検出し、電子透かしデータより保護すべきコンテンツとしての画像データの記録可否を判断し、記録可否の状態に適合するように画像データの記録を制御することを特徴とする。
【００２７】
本発明に係る記録方法の他の実施形態は、電子透かしデータが埋め込まれた画像データを入力し、画像データより電子透かしデータを検出し、電子透かしデータより保護すべきコンテンツとしての音声データの記録可否を判断し、記録可否の状態に適合するように音声データの記録を制御することを特徴とする。
【実施例】
【００２８】
〔実施例１〕
〔実施例１の構成〕
図１を用いて実施例１の構成を説明する。
本実施例では保護すべきコンテンツが画像であって、画像に電子透かしデータが埋め込まれていない場合について説明する。
図１は本発明に係る記録装置の一実施例を示すブロック図である。
図１に示す記録装置１００は、保護すべきコンテンツとしての画像を電気信号に変換する画像入力手段としての画像入力部１０１と、画像入力部１０１から出力される画像データを一時的に格納する画像データ格納部１０２と、画像データ格納部１０２に一時的に格納された画像データを記録するための画像データ記録部１０５と、画像データ記録部１０５に記録された画像データを表示するための画像表示部１０６と、電子透かしデータ（以下「ＷＭマーク」という。）が埋め込まれた音声を電気信号に変換する音声入力手段としての音声入力部１０７と、音声入力部１０７から出力される音声データを一時的に格納する音声データ格納部１０８と、音声データ格納部１０８に一時的に記録された音声データを記録するための音声データ記録部１０９と、音声データ記録部１０９からの音声データを再生する音声再生部１１０と、音声データ格納部１０８に一時的に格納された音声データからＷＭデータを検出する検出手段としてのＷＭデータ検出部１０３と、ＷＭデータより画像データの記録可否を判断し、その記録可否の状態に適合するように、すなわち画像データ記録可の場合には画像記録を行い、画像データ記録不可の場合には画像データ記録を行わないように画像データ記録部１０５を制御する制御手段としての制御部１０４とを備えたものである。
画像入力１０１としては例えば、ＣＣＤカメラが挙げられ、画像データ格納部１０２及び画像データ記録部１０５としてはＲＡＭが挙げられ、画像表示部１０６としてはＬＣＤ（液晶表示素子）が挙げられる。
音声入力部１０７としては、例えばマイクロフォンが挙げられ、音声データ格納部１０８及び音声データ記録部１０９としはＲＡＭが挙げられ、音声再生部１１０としてはスピーカが挙げられる。
ＷＭデータ検出部１０３及び制御部１０４としては、例えばマイクロコンピュータが挙げられる。
【００２９】
〔実施例１の動作〕
図１及び図２を用いて実施例１の動作を説明する。
図２は図１に示した記録装置の動作を説明するためのフローチャートである。
保護すべきコンテンツとしての画像を保護するため音声データ入力部１０７（図１）でＷＭデータが埋め込まれた音声データを入力し、音声データ格納部１０８（図１）に一時的に格納する（ステップＳ１００）。
画像データ入力部１０１（図１）で画像データを入力し、画像データ格納部１０２に一時的に格納する（ステップＳ１０１）。
音声データ格納部１０８に一時的に格納された音声データよりＷＭデータをＷＭデータ検出部１０３で検出する（ステップＳ１０２）。
制御部１０４で保護すべき画像データの記録をしてよいか否かを判断し（ステップＳ１０３）、ＷＭデータに画像記録の許可の旨のデータが含まれていることをＷＭデータ検出部１０３（図１）が検出した場合（ステップＳ１０３／ＹＥＳ）、制御部１０４は画像データを画像データ記録部１０５に記録する（このとき音声データを音声データ記録部１０９に記録するように構成してもよい。）。この結果、画像データを画像表示部１０６に表示することができる（音声データを記録することができる場合には音声データを音声データ再生部で再生することができる。：ステップＳ１０４）。
【００３０】
一方、ＷＭデータに画像記録の不許可の旨のデータが含まれていることをＷＭデータ検出部１０３（図１）が検出した場合（ステップＳ１０３／ＮＯ）、制御部１０４は画像データを画像データ記録部１０５から消去する。この結果、画像データを画像表示部１０６に表示することができなくなる。尚、画像記録不許可の場合には、音声データも同時に消去するように構成するのが好ましい（ステップＳ１０４）。
図１に示した記録装置は、例えば、書店でコピー禁止情報のＷＭマークを埋め込んだＢＧＭを流しておくことにより、カメラ付携帯電話機を用いて書籍や雑誌を記録しようとしても撮影することができないので、保護すべきコンテンツとしての書籍等にＷＭマークが埋め込まれていなくても、デジタル万引きを防止することができる。
【００３１】
〔実施例２〕
〔実施例２の構成〕
図３は本発明に係る記録装置の他の実施例を示すブロック図である。
図３に示すブロック図の図１に示したブロック図との相違点は、保護すべきコンテンツが音声の場合であって、音声に電子透かしデータが埋め込まれていない点である。尚、図１に示した要素と同様の要素には共通の符号を用いた。
図３に示す記録装置３００は、保護すべきコンテンツとしての音声を電気信号に変換する画像入力手段としての音声入力部１０７と、音声入力部１０７から出力される音声データを一時的に格納する音声データ格納部１０８と、音声データ格納部１０８に一時的に格納された音声データを記録するための音声データ記録部１０９と、音声データ記録部１０９に記録された音声データを再生するための音声再生部１１０と、ＷＭデータが埋め込まれた画像を電気信号に変換する画像入力手段としての画像入力部１０１と、画像入力部１０１から出力される画像データを一時的に格納する画像データ格納部１０２と、画像データ格納部１０２に一時的に記録された画像データを記録するための画像データ記録部１０５と、画像データ記録部１０５からの画像データを表示する画像表示部１０６と、画像データ格納部１０２に一時的に格納された画像データからＷＭデータを検出する検出手段としてのＷＭデータ検出部１０３と、ＷＭデータより音声データの記録可否を判断し、その記録可否の状態に適合するように、すなわち音声データ記録可の場合には音声記録を行い、音声データ記録不可の場合には音声データ記録を行わないように音声データ記録部１０９を制御する制御手段としての制御部３０４とを備えたものである。
【００３２】
〔実施例２の動作〕
図３及び図４を用いて実施例２の動作を説明する。
図４は図３に示した記録装置の動作を説明するためのフローチャートである。
保護すべきコンテンツとしての音声を保護するため画像入力部１０１（図３）でＷＭデータが埋め込まれた画像データを入力し、画像データ格納部１０２（図３）に一時的に格納する（ステップＳ４００）。
音声入力部１０７（図３）で音声データを入力し、音声データ格納部１０８に一時的に格納する（ステップＳ４０１）。
画像データ格納部１０２に一時的に格納された画像データよりＷＭデータをＷＭデータ検出部１０３で検出する（ステップＳ４０２）。
制御部３０４で保護すべき音声データの記録をしてよいか否かを判断し（ステップＳ４０３）、ＷＭデータに画像記録の許可の旨のデータが含まれていることをＷＭデータ検出部１０３（図３）が検出した場合（ステップＳ４０３／ＹＥＳ）、制御部３０４は音声データを音声データ記録部１０９に記録する（このとき画像データを画像データ記録部１０５に記録するように構成してもよい）。この結果、音声データを音声再生部１１０で再生することができる（画像データを記録することができる場合には画像データを画像表示部１０６で再生することができる：ステップＳ１０４）。
【００３３】
一方、ＷＭデータに音声記録の不許可の旨のデータが含まれていることをＷＭデータ検出部１０３（図３）が検出した場合（ステップＳ４０３／ＮＯ）、制御部４０４は音声データを音声データ記録部１０９から消去する。この結果、音声データを音声再生部１１０で再生することができなくなる。尚、音声記録不許可の場合には、画像データも同時に消去するように構成するのが好ましい（ステップＳ４０４）。
図３に示した記録装置は、例えば、録音等が禁止されたコンサート会場でコピー禁止情報のＷＭマークを埋め込んだ画像（例えば、バンド名の垂れ幕のようなものに埋め込んだ画像）を客席に向けておくことにより、ビデオカメラで演奏を録音しようとしても録音することができないので、保護すべきコンテンツとしての演奏等にＷＭマークが埋め込まれていなくても、無断録音（撮影）を防止することができる。
【産業上の利用可能性】
【００３４】
本発明は、カメラ付き携帯電話機やビデオカメラ等の録画、録音機能を有する記録装置に利用可能である。
【図面の簡単な説明】
【００３５】
【図１】本発明に係る記録装置の一実施例を示すブロック図である。
【図２】図１に示した記録装置の動作を説明するためのフローチャートである。
【図３】本発明に係る記録装置の他の実施例を示すブロック図である。
【図４】図３に示した記録装置の動作を説明するためのフローチャートである。
【符号の説明】
【００３６】
１００    記録装置
１０１    画像入力部
１０２    画像データ格納部
１０３    ＷＭデータ検出部
１０４    制御部
１０５    画像データ記録部
１０６    画像表示部
１０７    音声入力部
１０８    音声データ格納部
１０９    音声データ記録部
１１０    音声再生部
【図１】
2006262360.tif 000003
【図２】
2006262360.tif 000004
【図３】
2006262360.tif 000005
【図４】
2006262360.tif 000006